(57)【要約】【課題】タンクエリア内に溜まる雨水の量を抑制する。【解決手段】複数のタンク３Ａ，３Ｂ，３Ｃの間の隙間１０を覆うカバー装置４が提供される。カバー装置は、複数のタンクの屋根７を掛け渡して設置される柔軟なシート部材２０と、シート部材が屋根に向かって下方に傾斜するようにシート部材を吊り下げて支持する支持装置２１とを備える。【選択図】図２
2020147328.tif 000002
【特許請求の範囲】
【請求項１】
複数のタンクの間の隙間を覆うカバー装置であって、
前記複数のタンクの屋根を掛け渡して設置される柔軟なシート部材と、
前記シート部材が前記屋根に向かって下方に傾斜するように前記シート部材を吊り下げて支持する支持装置と、
を備えたことを特徴とするカバー装置。
【請求項２】
前記シート部材の被支持部に取り付けられた可撓性フレームをさらに備える
請求項１に記載のカバー装置。
【請求項３】
前記支持装置は、
前記タンクの屋根に固定される複数の架台と、
前記複数の架台に掛け渡して設置され、前記シート部材を吊り下げ支持するワイヤーロープと、
を有する
請求項１または２に記載のカバー装置。
【請求項４】
前記架台は、互いに隣り合う二つの前記タンクに跨がって設置される
請求項３に記載のカバー装置。
【請求項５】
二つの前記タンクの屋根を連絡する連絡橋が設けられ、前記架台は、前記連絡橋の位置に設置される
請求項３または４に記載のカバー装置。
【請求項６】
前記複数の架台は、それぞれ異なる対の前記タンクに跨がって設置され、
前記ワイヤーロープは、平面視における隙間中心に沿って配置される
請求項３〜５のいずれか一項に記載のカバー装置。
【請求項７】
前記支持装置は、前記ワイヤーロープおよび前記シート部材を連結する連結具をさらに有する
請求項３〜６のいずれか一項に記載のカバー装置。
【請求項８】
前記タンクの屋根の外周端縁部に手摺りアセンブリが設けられ、前記シート部材の裾部は、前記手摺りアセンブリに被せられて固定される
請求項１〜７のいずれか一項に記載のカバー装置。
【請求項９】
互いに隣り合う三つのタンクの間の隙間を覆うように構成された
請求項１〜８のいずれか一項に記載のカバー装置。
【発明の詳細な説明】
【技術分野】
【０００１】
本開示はカバー装置に係り、特に、タンクエリア内に溜まる雨水の量を抑制するためのカバー装置に関する。
【背景技術】
【０００２】
例えば、事故が発生した原子力発電所では、放射性物質を含んだ汚染水が発生する。このため、汚染水をタンクに貯留し、汚染水から放射性物質を除去する処理が順次行われている。
【０００３】
汚染水が貯留されたタンクは複数に及び、これらタンクはタンクエリアに比較的少ない隙間を隔てて立設される。タンクエリアは、区画壁により区画され外部と仕切られた汚染水タンク専用のエリアである。
【０００４】
万が一タンクから汚染水が漏れたとしても、これはタンクエリア内に止められ、エリア外への流出が阻止される。これによって一定の安全性が確保される。一方、タンクエリア内に貯留した水は、タンクから漏れた汚染水と同等とみなされ、厳格に扱われる。すなわち放射線除去処理の対象となる。
【０００５】
タンクエリアは屋外に設置されるので、降雨時には自ずとタンクエリア内に雨水が溜まる。この溜まった雨水も、タンクから漏れた汚染水と同等に取り扱われるため、結果として放射線除去処理量の増加を招く。
【先行技術文献】
【特許文献】
【０００６】
【非特許文献１】東京電力ホールディングス、“汚染水対策の主な取り組み”、[online]、[平成２９年１１月３０日検索]、インターネット＜URL:http://www.tepco.co.jp/decommision/planaction/waterprocessing/index-j.html＞
【発明の概要】
【発明が解決しようとする課題】
【０００７】
そこで本開示は、かかる事情に鑑みて創案され、その一の目的は、タンクエリア内に溜まる雨水の量を抑制することが可能なカバー装置を提供することにある。
【課題を解決するための手段】
【０００８】
本開示の一の態様によれば、
複数のタンクの間の隙間を覆うカバー装置であって、
前記複数のタンクの屋根を掛け渡して設置される柔軟なシート部材と、
前記シート部材が前記屋根に向かって下方に傾斜するように前記シート部材を吊り下げて支持する支持装置と、
を備えたことを特徴とするカバー装置が提供される。
【０００９】
好ましくは、前記カバー装置は、前記シート部材の被支持部に取り付けられた可撓性フレームをさらに備える。
【００１０】
好ましくは、前記支持装置は、
前記タンクの屋根に固定される複数の架台と、
前記複数の架台に掛け渡して設置され、前記シート部材を吊り下げ支持するワイヤーロープと、
を有する。
【００１１】
好ましくは、前記架台は、互いに隣り合う二つの前記タンクに跨がって設置される。
【００１２】
好ましくは、二つの前記タンクの屋根を連絡する連絡橋が設けられ、前記架台は、前記連絡橋の位置に設置される。
【００１３】
好ましくは、前記複数の架台は、それぞれ異なる対の前記タンクに跨がって設置され、  前記ワイヤーロープは、平面視における隙間中心に沿って配置される。
【００１４】
好ましくは、前記支持装置は、前記ワイヤーロープおよび前記シート部材を連結する連結具をさらに有する。
【００１５】
好ましくは、前記タンクの屋根の外周端縁部に手摺りアセンブリが設けられ、前記シート部材の裾部は、前記手摺りアセンブリに被せられて固定される。
【００１６】
好ましくは、前記カバー装置は、互いに隣り合う三つのタンクの間の隙間を覆うように構成されている。
【発明の効果】
【００１７】
本開示によれば、タンクエリア内に溜まる雨水の量を抑制することが可能となる。
【図面の簡単な説明】
【００１８】
【図１】タンクエリアの一部を示す概略平面図である。
【図２】カバー装置の概略斜視図である。
【図３】シート部材の被支持部周辺の構造を示す概略断面図である。
【図４】変形例のカバー装置の概略平面図である。
【発明を実施するための形態】
【００１９】
以下、添付図面を参照して本開示の実施形態を説明する。なお本開示は以下の実施形態に限定されない点に留意されたい。
【００２０】
図１は、本実施形態に係るカバー装置が適用されたタンクエリアの一部を示す概略平面図である。タンクエリア１は、事故が起きた原子力発電所の屋外に設置されると共に、区画壁としての堰、特に内堰２によって区画され、外部と仕切られている。このタンクエリア１内には複数の円筒形タンク３が比較的少ない隙間を隔てて等間隔の千鳥状に立設されている。各タンク３には、放射性物質を含んだ汚染水が貯留されている。万が一タンク３から汚染水が漏れたとしても、これは内堰２によってタンクエリア１内に止められ、エリア外への流出が阻止される。これによって一定の安全性が確保される。
【００２１】
本実施形態のカバー装置４は、タンクエリア１内のタンク３の間の隙間を覆うものである。これによって降雨時に、当該隙間に雨水が浸入するのを抑制し、ひいてはタンクエリア１内に溜まる雨水の量を抑制することが可能となる。
【００２２】
タンク３が円筒形状を有するため、これらの隙間は大きさが変化する比較的複雑な形状である。しかしながら本実施形態のカバー装置４は、これら複雑形状に対応した形状を有し、隙間を効果的にかつ漏れなく覆い、上方から降り注いだ雨水が隙間の地面に到達するのを確実に抑制する。
【００２３】
本実施形態では、内堰２の外側に外堰５が設置され、内堰２と外堰５の間に排水溝６が形成される。タンクエリア１の地面に達する前に、カバー装置４によって遮られた雨水は、タンク３の屋根に流れ落とされ、タンク３の屋根に形成された排水口に導入される。排水口は、図示しない排水経路を通じて排水溝６に連通されている。従って雨水は最終的に排水溝６に排出される。
【００２４】
内堰２の内側（タンクエリア１内）の地面に溜まった水は、放射性物質の除去処理（汚染水処理という）の対象となるが、内堰２の外側（タンクエリア１外）に溜まった水はその対象とならない。カバー装置４によって排水溝６に排出された水は、内堰２の内側の地面に溜まる前にその外側に排出されているので、汚染水処理の対象とならない。そのため本実施形態は、カバー装置４を設けない場合に比べて汚染水処理量を大幅に低減することができる。
【００２５】
本実施形態のカバー装置４は、互いに隣り合う三つのタンク３の間の隙間を覆うように構成されている。こうした隙間は同形状で複数あり、カバー装置４は各隙間を覆うべく、互いに隣接して複数設けられ、同様に構成される。以下、タンク３Ａ，３Ｂ，３Ｃの間の隙間１０を覆うカバー装置４を代表例に採って説明する。
【００２６】
図示するような平面視において、タンク３Ａ，３Ｂ，３Ｃの中心ＣＡ，ＣＢ，ＣＣは正三角形の頂点をなし、各中心を結ぶ線分ＬＡ，ＬＢ，ＬＣ同士のなす角αは等しく６０°である。この正三角形の領域内のタンク３Ａ，３Ｂ，３Ｃ間の隙間１０が、一つのカバー装置４によって覆われる。隙間１０およびカバー装置４は略Ｙ字状である。各線分ＬＡ，ＬＢ，ＬＣ上において、隣り合う二つのタンク３の間の間隔が最小（約２ｍ）となる。これら最小間隔部分の内側の領域を覆うように、カバー装置４が設置される。隙間１０内において放射状に延びる線は隙間１０の中心すなわち隙間中心Ｈを表す。隙間中心Ｈは、隙間１０を対象タンク数に等しい三つに等分割するような３本の線によって表される。３本の線は、隙間１０の幾何中心もしくは重心である中心点Ｇから、隙間１０の最も離れた端部である最小間隔部分の中間位置まで、１２０°の等間隔で放射状に延びる。詳しくは後述するが、この隙間中心Ｈに沿ってワイヤーロープが設置され、かつシート部材が支持される。
【００２７】
図２には、タンク３Ａ，３Ｂ，３Ｃおよびカバー装置４の斜視図を示す。タンク３Ａ，３Ｂ，３Ｃは円筒形タンクであり、ドーム状の屋根７を有する。屋根７上には作業員が乗ることができる。屋根７の外周端縁部には、作業員が滑落するのを防止するため、手摺りアセンブリ８が設けられている。手摺りアセンブリ８は、屋根７の外周端縁部に沿って延びる手摺り９と、手摺り９を一定の高さで支持する複数の支柱４０と、各支柱４０に連結された梁すなわち上梁１１および下梁１２と、各支柱４０の下端部に連結され屋根７上の雨水を堰き止める雨水堰１８とを一体的に有する。
【００２８】
また、雨水堰１８には排水口１３が設けられる。屋根７上の水は、屋根７の傾斜に沿ってその外周端縁部に流れ落ち、排水口１３に集約されて排水口１３から排出される。排水口１３は前述したように図示しない排水経路を通じて排水溝６に連通される。排水経路は、例えば排水口１３の裏側（タンク外周面側）に隣接されタンク周方向に延びる樋を含んでもよい。
【００２９】
また、互いに隣り合う二つのタンクの屋根を連絡する連絡橋が設けられる。連絡橋としては、タンク３Ａとタンク３Ｂの屋根７を連絡する連絡橋１４Ａ、タンク３Ｂとタンク３Ｃの屋根７を連絡する連絡橋１４Ｂ、およびタンク３Ｃとタンク３Ａの屋根７を連絡する連絡橋１４Ｃの計三つが設けられる。これら連絡橋１４Ａ，１４Ｂ，１４Ｃはタンクの屋根の間を作業員が往来するのを許容する。連絡橋１４Ａ，１４Ｂ，１４Ｃはそれぞれ、対応する二つのタンクの間隔が最小となる位置、すなわち図１の線分ＬＡ，ＬＢ，ＬＣ上の位置に位置される。なお当然に、連絡橋１４Ａ，１４Ｂ，１４Ｃのある位置では手摺りアセンブリ８が途切れている。連絡橋１４Ａ，１４Ｂ，１４Ｃは、屋根７間を掛け渡す通路部１５と、通路部１５の長手方向両端に設けられた階段部１６と、通路部１５の両側部に立設された手摺り柵部１７とを有する。
【００３０】
カバー装置４は、三つのタンク３Ａ，３Ｂ，３Ｃの屋根７を掛け渡して設置される柔軟なシート部材２０と、シート部材２０が屋根７に向かって下方に傾斜するようにシート部材２０を吊り下げて支持する支持装置２１とを備える。
【００３１】
シート部材２０は、柔軟で且つ防水性のシート材料により形成され、例えばポリエステル、ポリ塩化ビニルまたはその混合物といった樹脂材料により形成される。但し材質はこれらに限定されない。シート部材２０は、隙間１０を上方から覆うように形成され、隙間１０に対応した所定形状を有する。シート部材２０の色は、シート部材２０の下方の隙間１０内ができるだけ明るくなるよう、所定値以上の透光率をもたらすものが選択され、例えばクリーム色またはアイボリー色とされる。
【００３２】
支持装置２１は、タンク３の屋根７に固定される複数（本実施形態では三つ）の架台２２Ａ，２２Ｂ，２２Ｃと、複数の架台２２に掛け渡して設置され、シート部材２０を吊り下げ支持するワイヤーロープ２３（２３Ａ，２３Ｂ，２３Ｃ）とを有する。また支持装置２１は、ワイヤーロープ２３およびシート部材２０を連結する連結具２４を有する。
【００３３】
三つの架台２２Ａ，２２Ｂ，２２Ｃに関する構成は同じであるため、一つの架台２２Ｂについて主に説明する。架台２２Ｂは、互いに隣り合う二つのタンク３Ｂ，３Ｃに跨がって設置される。また架台２２Ｂは、連絡橋１４Ｂの位置に設置される。
【００３４】
架台２２Ｂは、一方のタンク３Ｂの屋根７に固定された一方の支柱部２５Ｂと、他方のタンク３Ｃの屋根７に固定された他方の支柱部２５Ｃと、両支柱部２５Ｂ，２５Ｃの上端部同士を掛け渡して連結する連結部２６とを有する。
【００３５】
一方の支柱部２５Ｂは、門形に形成され、連絡橋１４Ｂのタンク３Ｂ側端部を両側から挟んで配置されると共に、屋根７の手摺りアセンブリ８および連絡橋１４Ｂの少なくとも一方（一方または両方）に、図示しないブラケット等を介して連結固定される。なおタンクエリア１内では重機の使用が困難であり、溶接作業も禁止されているため、カバー装置４はボルト等により手作業で組み立てられる。そしてこの組立を容易にするため、カバー装置４はシンプルで軽量な構造とされている。
【００３６】
同様に、他方の支柱部２５Ｃも門形に形成され、連絡橋１４Ｂのタンク３Ｃ側端部を両側から挟んで配置されると共に、手摺りアセンブリ８および連絡橋１４Ｂの少なくとも一方に図示しないブラケット等を介して連結固定される。
【００３７】
連結部２６は、直線状の部材により形成され、通路部１５上でこれに沿って延びると共に、その両端部が支柱部２５Ｂ，２５Ｃの上端部の中間位置に固定される。
【００３８】
同様の方法で、残りの一方の架台２２Ａは、連絡橋１４Ａの位置で二つのタンク３Ａ，３Ｂに跨がって設置される。また他方の架台２２Ｃは、連絡橋１４Ｃの位置で二つのタンク３Ｃ，３Ａに跨がって設置される。
【００３９】
こうして三つの架台２２Ａ，２２Ｂ，２２Ｃは、それぞれ異なる対のタンク（３Ａと３Ｂ、３Ｂと３Ｃ、３Ｃと３Ａ）に跨がって設置されることとなる。
【００４０】
ワイヤーロープ２３は屈曲可能であり、例えばステンレス製である。但しその材質は限定されない。ワイヤーロープ２３は、一端が架台２２Ａに取り付けられたワイヤーロープ２３Ａと、一端が架台２２Ｂに取り付けられたワイヤーロープ２３Ｂと、一端が架台２２Ｃに取り付けられたワイヤーロープ２３Ｃとの他端同士を、互いに連結して構成される。各ワイヤーロープ２３Ａ，２３Ｂ，２３Ｃの一端は連結部２６の長手方向中間位置に取り付けられる。また各ワイヤーロープ２３Ａ，２３Ｂ，２３Ｃの他端は上述の隙間１０の中心点Ｇの位置にて互いに連結される。
【００４１】
ワイヤーロープ２３は、平面視において上述の隙間中心Ｈに沿って設置される。ワイヤーロープ２３の直下の位置にてシート部材２０が支持されるため、シート部材２０も隙間中心Ｈに沿って支持され、シート部材２０の被支持部３２Ａ，３２Ｂ，３２Ｃが隙間中心Ｈに沿って形成される。
【００４２】
連結具２４は、例えばシート部材２０に縫い付けて固定された布製の環状ベルトにより形成され、シート部材２０の被支持部３２Ａ，３２Ｂ，３２Ｃに沿って等間隔で複数設けられる。これら連結具２４にワイヤーロープ２３が挿通されることで、シート部材２０は複数の連結具２４を介してワイヤーロープ２３によって吊り下げられる。
【００４３】
なお、連結具２４の形態は自由に選択可能である。例えばワイヤーロープ２３が挿通される穴を有するベルト、あるいはより単純な紐のようなもの、あるいはシート部材２０に形成されたワイヤーロープ挿通用の貫通スリーブ等であってもよい。
【００４４】
シート部材２０は、各架台２２Ａ，２２Ｂ，２２Ｃの位置においても各架台２２Ａ，２２Ｂ，２２Ｃにより吊り下げ支持される。すなわち、シート部材２０の３箇所の端部２８Ａ，２８Ｂ，２８Ｃに、前記連結具２４と同様の連結具２７が固定され、これら連結具２７が、各架台２２Ａ，２２Ｂ，２２Ｃの連結部２６に設けられた図示しないフック等に引っ掛けられる。シート部材２０の端部２８Ａ，２８Ｂ，２８Ｃは、架台２２Ａ，２２Ｂ，２２Ｃの連結部２６の高さ付近に位置され、連絡橋１４Ａ，１４Ｂ，１４Ｃを通る人の邪魔にならない高さに保持される。なお連結具２７の形態も自由に選択可能である。
【００４５】
他方、シート部材２０の３箇所の端部２８Ａ，２８Ｂ，２８Ｃの間に位置する３箇所の裾部２９Ａ（不図示），２９Ｂ，２９Ｃは、手摺りアセンブリ８に被せられて固定される。具体的には裾部２９Ａ，２９Ｂ，２９Ｃは、タンク３Ａ，３Ｂ，３Ｃの屋根７上に位置するように手摺りアセンブリ８の内側（タンク屋根７側）に被せられ、手摺りアセンブリ８を上方および内側から覆う。そして裾部２９Ａ，２９Ｂ，２９Ｃは複数の裾部連結具３０により下梁１２に固定される。裾部連結具３０は、例えば裾部２９Ａ，２９Ｂ，２９Ｃに予め縫い付けられた布製のベルトにより形成され、下梁１２に縛り付けて固定される。しかしながら、裾部連結具３０の形態および固定箇所もこれに限定されない。
【００４６】
加えて図３にも示すように、本実施形態のカバー装置４は、ワイヤーロープ２３によるシート部材２０の被支持部を補強するため、その被支持部に取り付けられた可撓性フレームをさらに備える。本実施形態の場合、３本のワイヤーロープ２３Ａ，２３Ｂ，２３Ｃにそれぞれ対応した３箇所の被支持部３２Ａ，３２Ｂ，３２Ｃと、３つのフレーム３１Ａ，３１Ｂ，３１Ｃとが設けられる。図３にはそのうちの一組のワイヤーロープ２３Ｂ、被支持部３２Ｂおよびフレーム３１Ｂの構成を主に示す。以下この一組について代表して説明するが、他の組も同様に構成されている。
【００４７】
フレーム３１Ｂは、比較的柔軟で可撓性を有し且つ弾性変形可能である。本実施形態のフレーム３１ＢはＦＲＰ製であり、より具体的には断面円形のＦＲＰポールにより形成されている。これは中実であっても中空であっても構わない。なお材質や構造は変更可能であり、例えばＣＦＲＰポールにより形成されてもよい。
【００４８】
複数の連結具２４が被支持部３２Ｂの表面部もしくは上面部に沿って設けられる一方、フレーム３１Ｂは被支持部３２Ｂの裏面部もしくは下面部に沿って取り付けられる。フレーム３１Ｂの取付方法は任意であるが、本実施形態では通常のテントの如く、被支持部３２Ｂの裏面部もしくは下面部に形成された複数のスリーブ３３Ａ，３３Ｂにフレーム３１を挿入することにより、フレーム３１が取り付けられる。
【００４９】
被支持部３２Ｂの両端部に形成されたスリーブ３３Ａは有底スリーブであり、それらの間の中間部に形成されたスリーブ３３Ｂは貫通スリーブである。貫通スリーブ３３Ｂにフレーム３１Ｂの中間部が挿通されると共に、両方の有底スリーブ３３Ａにフレーム３１Ｂの両端部が挿入される。これによりフレーム３１Ｂは、両方の有底スリーブ３３Ａ間で突っ張って、両方の有底スリーブ３３Ａを互いに離間する方向に押し出すと共に、被支持部３２Ｂを直線状に近づくよう伸展させる。これにより被支持部３２Ｂは緊張した伸展状態に保持される。
【００５０】
なお、３４は３本のワイヤーロープ２３Ａ，２３Ｂ，２３Ｃの他端同士を連結するワイヤー連結具である。
【００５１】
こうして吊り下げ支持されたシート部材２０においては、図２に示すように、被支持部３２Ａ，３２Ｂ，３２Ｃが頂部もしくは稜線部をなして隙間中心Ｈに沿って配置され、裾部２９Ａ，２９Ｂ，２９Ｃが手摺りアセンブリ８に引っ掛けられると共に垂れ下げられて固定される。そしてシート部材２０は、被支持部３２Ａ，３２Ｂ，３２Ｃから裾部２９Ａ，２９Ｂ，２９Ｃに向かって下方に傾斜される。裾部２９Ａ，２９Ｂ，２９Ｃは手摺りアセンブリ８の内側の屋根７上に確実に保持される。また端部２８Ａ，２８Ｂ，２８Ｃも架台２２Ａ，２２Ｂ，２２Ｃおよび連結具２７により確実に位置決めされる。なお連絡橋１４Ａ，１４Ｂ，１４Ｃの位置では人が通れるように通路部１５上を避けてシート部材２０が配置される。しかしながらシート部材２０の代わりに、連絡橋１４Ａ，１４Ｂ，１４Ｃの通路部１５が隙間１０を覆っている。
【００５２】
次に本実施形態の作用効果を説明する。
【００５３】
図１および図２を参照して、カバー装置４、具体的にはシート部材２０は、タンク３Ａ，３Ｂ，３Ｃの間の隙間１０を覆う。このため降雨時に隙間１０に降ってくる雨水を遮り、隙間１０に位置するタンクエリア１内に雨水が浸入するのを抑制すると共に、隙間１０の地面に雨水が溜まるのを抑制する。これにより汚染水処理量を低減できる。
【００５４】
シート部材２０上に降った雨水は、傾斜されたシート部材２０に沿って、裾部２９Ａ，２９Ｂ，２９Ｃすなわちタンク３Ａ，３Ｂ，３Ｃ側に向かって流れ落ち、裾部２９Ａ，２９Ｂ，２９Ｃからタンク３Ａ，３Ｂ，３Ｃの屋根７上へと滴下される。この屋根７上の雨水は排水口１３から排出され、図示しない排水経路を通じて最終的に排水溝６へと落下排出される。これにより、シート部材２０によって遮られた雨水を効率よく排出することができる。
【００５５】
なお、降雪時も降雨時と同様にシート部材２０上に降った雪を排水溝６に効率よく排出できる。
【００５６】
ところで、カバー装置４は屋外に設置されるため、風害への対策が必要である。特に原子力発電所は、海に近く風が強い場所にあるため、カバー装置４への風害対策は重要である。
【００５７】
このため、本実施形態のカバー装置４は上述のように構成されている。すなわち、柔軟なシート部材２０を吊り下げ支持したので、シート部材２０が風（特に強風）を受けたときであっても、シート部材２０を風に逆らわず、なびかせたり波打ったりさせることができる。従ってシート部材２０等の損傷を回避でき、風害に強く耐久性に優れたカバー装置４とすることができる。
【００５８】
また、シート部材２０をワイヤーロープ２３により吊り下げ支持し、このワイヤーロープ２３が自由に変形できるので、シート部材２０がなびいたり波打ったりして変形する際の当該変形を妨げることがなく、シート部材２０の自由変形を許容できる。
【００５９】
シート部材２０の被支持部３２Ａ，３２Ｂ，３２Ｃに可撓性フレーム３１Ａ，３１Ｂ，３１Ｃを取り付けたので、被支持部３２Ａ，３２Ｂ，３２Ｃを伸展状態に良好に形状保持できる。また被支持部３２Ａ，３２Ｂ，３２Ｃを補強し、被支持部３２Ａ，３２Ｂ，３２Ｃへの支持荷重を均等化して、シート部材２０等の損傷を抑制し、耐久性を向上できる。しかもフレーム３１Ａ，３１Ｂ，３１Ｃが可撓性なので、シート部材２０がなびく際の被支持部３２Ａ，３２Ｂ，３２Ｃの変形をある程度許容できる。
【００６０】
互いに隣り合う二つのタンク３Ｂ，３Ｃに跨がって架台２２Ｂを設置したので、架台２２Ｂを安定的に両持ち支持することができる。そしてこれによりワイヤーロープ２３ひいてはシート部材２０をも安定して支持できる。但し支持剛性が確保できれば、架台２２Ｂを一方のタンク３Ｂ，３Ｃに片持ち支持させてもよい。他の架台２２Ａ，２２Ｃについても同様である。
【００６１】
架台２２Ｂを連絡橋１４Ｂの位置に設置したので、連絡橋１４Ｂを利用して架台２２Ｂを固定することができ、架台２２Ｂの安定化に有利である。また連絡橋１４Ｂを通じてタンク３Ｂ，３Ｃ間を往来できるので架台２２Ｂの設置作業が容易となる。他の架台２２Ａ，２２Ｃについても同様である。
【００６２】
本実施形態では、三つの架台２２Ａ，２２Ｂ，２２Ｃが、それぞれ異なる対のタンク（３Ａと３Ｂ、３Ｂと３Ｃ、３Ｃと３Ａ）に跨がって設置される。そしてワイヤーロープ２３が、平面視において隙間中心Ｈに沿って配置されている。このためシート部材２０を、各タンクから均等に離れた位置、あるいは中心点Ｇに対して対称の位置でバランスよく安定的に支持できる。
【００６３】
但し、ワイヤーロープ２３を敢えて隙間中心Ｈからずらして配置することも可能である。ワイヤーロープ２３の設置位置は上述の位置に限らず、自由に設定可能である。被支持部３２Ａ，３２Ｂ，３２Ｃの位置についても同様である。
【００６４】
シート部材２０の裾部２９Ａ，２９Ｂ，２９Ｃを手摺りアセンブリ８に被せて固定したので、既設の手摺りアセンブリ８を利用して裾部２９Ａ，２９Ｂ，２９Ｃを固定できる。また裾部２９Ａ，２９Ｂ，２９Ｃを屋根７上に正確に位置決めできるため、裾部２９Ａ，２９Ｂ，２９Ｃから滴下した雨水を屋根７上に確実に落下させることができる。なお裾部２９Ａ，２９Ｂ，２９Ｃを固定する裾部連結具３０の長さは、シート部材２０が動くのを許容するため、ある程度余裕を持たせてもよい。
【００６５】
以上が一例としてのカバー装置４の特徴である。図１に示すように、隣り合う三つのタンク３により形成される全ての隙間１０が、複数のカバー装置４によってそれぞれ覆われる。各カバー装置４は互いに隣接され、カバー装置４間の隙間ができるだけ生じないようにされている。二つのタンク３間に連絡橋がない場合もある。この場合には、連絡橋部分を覆うようカバー装置４が修正される。
【００６６】
図４は、カバー装置４の変形例を示す。この変形例において、タンク３は等間隔の格子状に立設されており、カバー装置４は４つのタンク３の間の隙間１０を覆う。隙間１０およびカバー装置４は略十字状である。なお図には説明に必要な１ユニットすなわち４つのタンク３と一つのカバー装置４しか示していないが、図１に示した基本実施例と同様、タンク３と隙間１０とカバー装置４はより多数設けられる。
【００６７】
図示するような平面視において、タンク３Ａ，３Ｂ，３Ｃ，３Ｄの中心ＣＡ，ＣＢ，ＣＣ，ＣＤは正方形の頂点をなし、各中心を結ぶ線分ＬＡ，ＬＢ，ＬＣ，ＬＤ同士のなす角αは等しく９０°である。この正方形の領域内のタンク３Ａ，３Ｂ，３Ｃ，３Ｄ間の隙間１０が、一つのカバー装置４によって覆われる。各線分ＬＡ，ＬＢ，ＬＣ，ＬＤ上において、隣り合う二つのタンク３の間の間隔が最小となる。これら最小間隔部分の内側の領域を覆うように、カバー装置４が設置される。
【００６８】
隙間中心Ｈは、隙間１０を対象タンク数に等しい四つに等分割するような４本の線によって表される。４本の線は、隙間１０の中心点Ｇから、隙間１０の最も離れた端部である最小間隔部分の中間位置まで、９０°の等間隔で放射状に延びる。この隙間中心Ｈに沿って、前述のワイヤーロープ２３が設置され、かつシート部材２０が吊り下げ支持される。他の構成は前記同様であるので説明を割愛する。この変形例によっても前記同様の作用効果を発揮し得る。
【００６９】
このように、一つのカバー装置４に対応する複数のタンク３の配置方法は様々な方法が考えられ、上述の正三角形や正方形以外の配置方法が可能である。例えば、正三角形以外の三角形、正方形以外の四角形、あるいは五角形以上の多角形（正多角形を含む）の頂点をなすように配置することが可能である。
【００７０】
以上、本開示の実施形態を詳細に述べたが、本開示は以下のような他の実施形態も可能である。
【００７１】
（１）例えば本開示のカバー装置は、汚染水タンク以外のタンクの場合にも適用可能である。
【００７２】
（２）本開示のカバー装置は、任意の複数個のタンクの間の隙間を覆うように構成することが可能である。
【００７３】
（３）可撓性フレーム３１Ａ，３１Ｂ，３１Ｃは必須ではなく、その一部もしくは全部を省略してもよい。この場合、省略箇所におけるシート部材２０がワイヤーロープ２３に対して位置ずれしないようにするのが好ましい。例えば、ワイヤーロープ２３に対する連結具２４の位置を固定するのが好ましい。また、複数のフレーム３１Ａ，３１Ｂ，３１Ｃを一体化して一つのフレームを形成してもよい。
【００７４】
（４）図２に示した実施形態では、三つのタンク３Ａ，３Ｂ，３Ｃのうちの全ての二つの組み合わせに対し連絡橋１４Ａ，１４Ｂ，１４Ｃを設けたが、そのうちの一部または全部を省略してもよい。
【００７５】
本開示の実施形態は前述の実施形態のみに限らず、特許請求の範囲によって規定される本開示の思想に包含されるあらゆる変形例や応用例、均等物が本開示に含まれる。従って本開示は、限定的に解釈されるべきではなく、本開示の思想の範囲内に帰属する他の任意の技術にも適用することが可能である。
【符号の説明】
【００７６】
３，３Ａ，３Ｂ，３Ｃ  タンク
４  カバー装置
７  屋根
８  手摺りアセンブリ
１０  隙間
１４Ａ，１４Ｂ，１４Ｃ  連絡橋
２０  シート部材
２１  支持装置
２２Ａ，２２Ｂ，２２Ｃ  架台
２３，２３Ａ，２３Ｂ，２３Ｃ  ワイヤーロープ
２４  連結具
２９Ａ，２９Ｂ，２９Ｃ  裾部
３１Ａ，３１Ｂ，３１Ｃ  フレーム
Ｈ  隙間中心
【図１】
2020147328.tif 000003
【図２】
2020147328.tif 000004
【図３】
2020147328.tif 000005
【図４】
2020147328.tif 000006